(57)【特許請求の範囲】
【請求項１】
クリームはんだ印刷機のマスクの背面側に該マスクに沿って移動自在に配置されるとともにこのマスクの背面を吸引する吸引部を備え、このマスクの背面を吸引しながらクリームはんだを回収するクリーニング装置であって、
前記吸引部は、内部が中空とされるとともに内部と連通する管により真空源に接続される吸引用容器と、該吸引用容器の内部に連通されるとともに前記マスクの背面に臨むように該吸引用容器に形成された吸引口と、該吸引口の各部位における吸引力を調整する調整手段とを備え、
前記調整手段は、前記吸引用容器内に設けられ、かつ、前記吸引口の一部を遮蔽するように配置されたシャッタを有し、
前記シャッタは、傾斜する一辺を有して一端から他端に向けて面積が小さくなる平板状に形成されるとともに、前記傾斜する一辺を前記吸引用容器の内側に位置させた状態で、前記一端から前記他端にかけて前記吸引用容器の前記真空源との接続部分から離間するように配置されることにより、前記接続部分からの距離が近いほど遮蔽面積が大きくなるように前記吸引口の一部を遮蔽することを特徴とするクリームはんだ印刷機のクリーニング装置。
【請求項２】
請求項１記載のクリームはんだ印刷機のクリーニング装置において、
前記シャッタは、前記一端に配設された取付軸を中心として、前記吸引用容器の内部を気密状態に保持しつつ該吸引用容器に対して回動可能に設けられ、該回動により前記遮蔽面積を変更可能に構成されていることを特徴とするクリームはんだ印刷機のクリーニング装置。
【請求項３】
請求項１または２記載のクリームはんだ印刷機のクリーニング装置において、
シャッタが吸引用容器から着脱自在とされていることを特徴とするクリームはんだ印刷機のクリーニング装置。
【発明の詳細な説明】
【０００１】
【発明の属する技術分野】
この発明は、クリームはんだ印刷機に用いられるマスクに付着したクリームはんだを除去するためのクリームはんだ印刷機のクリーニング装置に関するものである。
【０００２】
【従来の技術】
一般に、プリント基板の表面にクリームはんだを塗布するには、クリームはんだ印刷機を用いて行われているが、プリント基板を、所定のパターン孔が形成されたマスクの下面に密着させ、マスクの上からクリームはんだを塗布した後、マスクからプリント基板を離間する際、マスクのパターン孔の縁部や裏面に一部のクリームはんだが残ってしまう。
【０００３】
そこで従来、マスクのパターン孔の縁部や裏面に付着したクリームはんだは、一定回数の印刷を行った後、クリームはんだ印刷機のクリーニング装置により除去するようにしていた。
このようなクリームはんだ除去のためのクリーニング装置としては、マスクの下方にあって、このマスクの裏面に付着したクリームはんだを掻き取る一対のスキージと、両スキージの間に配設されて、このマスクに開口されたパターン孔内のクリームはんだと、前記スキージにより掻き取られたクリームはんだを、空気吸引装置の真空圧により吸引する吸引部と、前記マスクに沿って水平方向に往復移動させる移動手段とを備えた装置が使用されている。また、テープ状のペーパをマスクの裏面に密着させ該マスクに沿って摺動させることにより、パターン孔から裏面側に洩出したクリームはんだを拭き取るようにもしていた。
【０００４】
【発明が解決しようとする課題】
ところで、上記のようなクリームはんだ印刷機のクリーニング装置では、空気吸引装置の接続口が吸引部の一個所に設けられるため、吸引部の吸引力は、接続口から離れるに従って減少しクリームはんだの除去にむらが生じたりしていた。
また、吸引部に複数の空気吸引装置の接続口を設けたとしても、やはりそれぞれの接続口からの距離によって吸着力が異なりクリームはんだの除去にむらが生じていた。さらに、パターン孔が設けられたマスクの範囲は、プリント基板の寸法によって決まるが、吸引部はマスクの下面に押し当てられているため、プリント基板の寸法に合わせて吸引部の寸法を調整することが困難であった。
【０００５】
本発明は上記事情に鑑みてなされたもので、クリームはんだを除去する吸引力を、吸引部の長手方向に沿って容易に一定に調整することができるクリームはんだ印刷機のクリーニング装置を提供することを目的としている。
【０００６】
【課題を解決するための手段】
上記目的を解決すべく本発明の請求項１記載のクリームはんだ印刷機のクリーニング装置１は、例えば図１〜３に示すように、
クリームはんだ印刷機のマスク２の背面側に該マスク２に沿って移動自在に配置されるとともに該マスク２の背面を吸引する吸引部５を備え、このマスク２の背面を吸引しながらクリームはんだＣを回収する前記クリーニング装置１であって、前記吸引部５は、内部が中空とされるとともに内部と連通する管１６により真空源に接続される吸引用容器１８と、該吸引用容器１８の内部に連通されるとともに前記マスク２の背面に臨むように該吸引用容器１８に形成された吸引口２１と、該吸引口２１の各部位における吸引力を調整する調整手段１９とを備え、前記調整手段１９は、前記吸引用容器１８内に設けられ、かつ、前記吸引口２１の一部を遮蔽するように配置されたシャッタ２６を有し、前記シャッタ２６は、傾斜する一辺を有して一端から他端に向けて面積が小さくなる板状に形成されるとともに、前記傾斜する一辺を前記吸引用容器１８の内側に位置させた状態で、前記一端から前記他端にかけて前記吸引用容器１８の前記真空源との接続部分から離間するように配置されることにより、前記接続部分からの距離が近いほど遮蔽面積が大きくなるように前記吸引口２１の一部を遮蔽することを特徴とするものである。
【０００７】
前記吸引部５は、前記マスク２に開口されたパターン孔７の縁部や裏面に残存するクリームはんだＣを真空源（空気吸引装置）の真空圧により吸引して除去するものであり、例えば、該マスク２の下方で上下左右に移動可能に設けられている。さらに、前記吸引部５は、前記マスク２に密着することで該マスク２に付着したクリームはんだＣを掻き取るスキージ２０と、この掻き取られたクリームはんだＣを吸引するために前記スキージ２０近傍に設けられた前記吸引口２１と、真空源と連通する前記管１６を接続する接続口１７が設けられた中空の箱状の前記吸引用容器１８と、この吸引用容器１８に挿嵌または嵌挿することで前記吸引口２１の各部位における吸引力を調整する前記調整手段１９とを備えて構成されているのが望ましい。
【０００８】
前記スキージ２０は、前記吸引部５を前記マスク２に向かって移動させた際、該スキージ２０の先端が該マスク２の裏面に近接するよう前記クリームはんだ印刷機のクリーニング装置１に取付けられたものであり、例えば、平面視矩形状な筒体であって、上端部に鋭角な傾斜面が形成されているのが望ましい。
【０００９】
前記吸引口２１は、前記スキージ２０によって掻き取られるクリームはんだＣを吸引するために設けられたものであり、例えば、前記吸引部５の上面に設けられたスキージ２０の内側開口部分に沿わし該スキージ２０の長手方向に略一致する長さに前記吸引部５上面に開口された穴であるのが望ましい。
【００１０】
前記吸引用容器１８は、真空源の吸引力を前記調整手段１９の調整を介して前記吸引口２１に伝えるものであり、例えば、真空源に通じる前記管１６の前記接続口１７とクリームはんだＣを吸引する該吸引口２１とを連通させるための連通空間部２８を内部に備えた中空の箱状のものが望ましい。
【００１１】
前記調整手段１９は、前記吸引口２１の吸引力を前記スキージ２０の長手方向に沿って調整することのできるものであり、例えば、前記連通空間部２８と前記吸引口２１との間の一部を閉塞することのできる平板状のものが望ましい。
前記シャッタ２６は、前記吸引口２１の背面側に配設されるよう前記吸引用容器１８内に挿嵌されるものであり、例えば、該吸引口２１の各部位における吸引力にほぼ比例した傾斜を持つ形状に予め形成された平板であるのが望ましい。
【００１２】
請求項１記載のクリームはんだ印刷機のクリーニング装置１によれば、
前記吸引用容器１８は前記調整手段１９を用いることによって、前記吸引口２１の各部位における吸引力を調整することができるので、吸引力の斑を防止するとともに真空源が接続された前記管１６からの距離に関係なく吸引力を容易に均等にすることができる。また、前記吸引口２１の各部位における吸引力を調整するには、前記吸引用容器１８内に前記シャッタ２６を配設すれば良いので、比較的簡単に前記調整手段１９を構成することができる。さらに、前記シャッタ２６は、前記吸引用容器１８の前記管１６による真空源との接続部分からの距離が近いほど遮蔽面積が大きくなるように前記吸引口２１の一部を遮蔽しているので、比較的簡単に、前記吸引口２１の各部位における吸引力をなるべく均等に調整することができる。
【００１３】
請求項２記載のクリームはんだ印刷機のクリーニング装置１は、例えば図１〜３に示すように、請求項１において、
前記シャッタ２６は、前記一端に配設された取付軸２９を中心として、前記吸引用容器１８の内部を気密状態に保持しつつ該吸引用容器１８に対して回動可能に設けられ、該回動により前記遮蔽面積を変更可能に構成されていることを特徴とするものである。
【００１５】
請求項２記載のクリームはんだ印刷機のクリーニング装置１によれば、
前記シャッタ２６を回動させることで容易に前記マスク２上に形成されたパターン孔７の範囲に前記吸引口２１を合わせることができるので、あらゆるクリームはんだ印刷機のマスク２に対してクリームはんだＣの除去が可能である。
【００２０】
請求項３記載のクリームはんだ印刷機のクリーニング装置１のシャッタ２６は、請求項１または２において、
前記シャッタ２６が前記吸引用容器１８から着脱自在とされていることを特徴とするものである。
【００２１】
請求項３記載のクリームはんだ印刷機のクリーニング装置１によれば、
前記シャッタ２６は、前記吸引用容器１８から着脱自在に設けられているので、前記吸引口２１の開口部分の幅は、前記マスク２に設けられる前記パターン孔７の範囲に応じて効果的に限定することができるとともに、該パターン孔７に合わせてより強く吸引することができる。さらに、前記シャッタ２６は、プリント基板の大きさに対応した該シャッタ２６に交換することができる。
【００２４】
【発明の実施の形態】
以下に、本発明に係わるクリームはんだ印刷機のクリーニング装置における実施の形態例を、図１から図８に基づいて説明する。
【００２５】
（第１の実施の形態例）
本例のクリームはんだ印刷機のクリーニング装置１は、図１から図３に示すように、
クリームはんだ印刷機のマスク２に沿って左右平行に往復移動が可能なケーシング３内に、該マスク２の背面側にクリーニングペーパ４を介して該ケーシング３内に設置され該マスク２の背面を吸引する吸引部５とを備えて構成されている。
なお、前記マスク２は、矩形状の板状弾性体からなるもので、その端部がスクリーンフレーム６に固定され、該マスク２の表面上にはプリント基板に印刷されるクリームはんだＣのパターンに合わせたパターン孔７が形成されている。
【００２６】
前記ケーシング３は、上面が開放された縦断面コ状中空の箱状なものであり、その下部には往復移動手段８が、内部には前記クリーニングペーパ４と前記吸引部５とが設置されている。
前記往復移動手段８は、前記ケーシング３の下面に取付けられたナット９、９と、該ナット９、９に螺合され前記マスク２に対して水平な状態の長尺なボールねじ１０と、該ボールねじ１０を回転させるモータ１１とを備えて構成されている。
【００２７】
前記クリーニングペーパ４は、溶剤を吸い込ませた帯状のロール紙であって、該クリーニングペーパ４が前記マスク２と前記吸引部５の間に介在するように、複数のガイドローラ１２…を介して該クリーニングペーパ４の一端部は巻き取りローラ１３に、他端部は繰り出しローラ１４に巻架されている。
前記ガイドローラ１２…と前記巻き取りローラ１３と前記繰り出しローラ１４は、前記ケーシング３内で取付けられ回転可能なものであり、その長さ方向が図１中の紙面垂直方向に平行となるように設けられている。
前記繰り出しローラ１４からモータ等によって引き出され前記クリーニングペーパ４は、前記ガイドローラ１２…を介して前記巻き取りローラ１３に巻かれるようになっている。
【００２８】
前記吸引部５は、前記ケーシング３内下面に設置された昇降手段１５によって該吸引部５を上下に移動させられものであり、該昇降手段１５上端に取付けられ真空源と連通する管１６を接続する接続口１７が設けられた中空の箱状の吸引用容器１８と、該吸引用容器１８に挿嵌することで真空源によって生じる吸引力を調整する調整手段１９と、前記吸引用容器１８の上面１８ａに設けられ前記マスク２のパターン孔７の縁部および裏面に付着したクリームはんだＣを掻き取るスキージ２０と、この掻き取られたクリームはんだＣを吸引するための吸引口２１とを備えて構成されている。
【００２９】
前記昇降手段１５は、シリンダ２２とロッド２３から構成されており、該シリンダ２２は前記ケーシング３下面に立設され、該ロッド２３はその上端部に前記吸引用容器１８の下面が連結されるとともに該シリンダ２２上に垂直となるよう設けられている。前記昇降手段１５は、前記ロッド２３を伸縮することによって、前記吸引用部５を上下動するようになっている。
このように、前記吸引部５は前記昇降手段１５によって上下に移動可能となっており、これによって、この吸引部５の先端部に取り付けられた前記スキージ２０は上下に移動することで前記クリーニングペーパ４を下から押し上げ、該クリーニングペーパ４を介して前記マスク２の裏面に密着することができる。
【００３０】
前記吸引用容器１８は、前記昇降手段１５上端に取付けられ真空源と連通している中空な箱状の真空吸引部２４と、前記スキージ２０が上面に取付けられているスキージ取付部２５とを備えて構成されている。
【００３１】
前記真空吸引部２４は、縦長な中空の箱状のものであり、後述する調整手段１９であるシャッタ２６を挿嵌させるために開口された切り欠き部２７と、直方体状にくり抜かれた連通空間部２８と、前記シャッタ２６の取付軸２９を挿入するための取付軸用溝部３０と、真空源を接続する前記接続口１７とを備えて構成されている。
【００３２】
前記切り欠き部２７は、前記真空吸引部２４の上端部において、該真空吸引部２４の一側面の一部が開口されつつ、前記シャッタ２６の厚さを持ち該シャッタ２６をほぼ嵌合するような矩形状に形成されている。
前記連通空間部２８は、前記切り欠き部２７の下面２７ａ中央において、前記真空吸引部２４の下面を残しつつ直方体状に形成されている。また、前記連通空間部２８は、前記管１６の接続口１７と連通している。
前記取付軸用溝部３０は、前記切り欠き部２７の下面２７ａにおいて、後述するシャッタ２６を前記切り欠き部２７に挿嵌する際に、該シャッタ２６に設けられた取付軸２９の下端部に係合するように、前記接続口１７に近い前記吸引用容器１８の短手方向に沿って溝が形成されている。
前記接続口１７は、前記真空吸引部２４の一側面に、真空源の前記管１６と接続可能な穴として形成されており、前記真空吸引部２４内において前記連通空間部２８と連通している。
【００３３】
前記スキージ取付部２５は、前記スキージ２０と、前記シャッタ２６の前記取付軸２９を係合する取付軸用溝部３０ａと、該スキージ取付部２５の内側を貫き下端面まで開口された前記吸引口２１とを備えて構成されている。
【００３４】
前記スキージ２０は、周辺部上端に鋭角な傾斜面が形成された平面視矩形状な筒体であって、前記スキージ取付部２５の上面に該スキージ取付部２５の長手方向に沿って平行に立設されている。
前記吸引口２１は、前記スキージ２０の下端部、つまり該スキージ２０が立設された前記スキージ取付部２５の上面に、このスキージ２０の長手方向に沿って開口され形成されている。また、前記吸引口２１は、前記連通空間部２８の開口の形状と略一致するように開口されている。
【００３５】
前記取付軸用溝部３０ａは、前記スキージ取付部２５の裏面において、後述するシャッタ２６を前記切り欠き部２７に挿嵌する際に、前記接続口１７に近い該スキージ取付部２５の短手方向に沿って前記取付軸２９の上端部が係合するような溝が形成されている。前記取付軸用溝部３０ａは、図２で示された前記取付軸用溝部３０と同様な形状に形成されており、前記スキージ取付部２５と前記真空吸引部２４を接続した際、該取付軸用溝部３０と向き合うような位置に形成されている。
【００３６】
前記調整手段１９は、前記取付軸２９を係合する取付孔部３１を備え平面視略台形の形状に形成された平板状の前記シャッタ２６であり、前記取付軸２９を前記取付軸用溝部３０に係合するように前記切り欠き部２７に挿嵌されている。
【００３７】
前記取付軸２９は、円柱状に形成されており、該取付軸２９を前記取付孔部３１に係合させ前記シャッタ２６を前記切り欠き部２７に挿嵌する際に、該取付軸２９の上端部が前記取付軸用溝部３０ａに、該取付軸２９の下端部が前記取付軸用溝部３０にほぼ密着して係合する程度の高さを備えて形成されている。
【００３８】
前記シャッタ２６は、平面視略台形状に形成されており、この傾斜する一辺が前記吸引部５の内側に位置するよう前記切り欠き部２７に挿嵌される。
また、前記シャッタ２６における周辺部の一部は、図３ａで示すように、若干円弧状に形成されている。したがって、前記シャッタ２６は、前記取付軸用溝部３０、３０ａに挿通されている前記取付軸２９を支点として回動する際、その若干円弧状に形成されている一辺が前記切り欠き部２７の縁に邪魔されることなく、常に接触して前記吸引部５内を気密状態にしつつ回動することができる。
【００３９】
前記シャッタ２６は、図２で示すように、前記取付軸２９の下端部を前記取付軸用溝部３０に、該取付軸２９の上端部を前記取付軸用溝部３０ａに挿入しつつ、前記切り欠き部２７に挿嵌して前記真空吸引部２４と前記スキージ取付部２５との間に挟入される。
この際、前記吸引口２１は、前記シャッタ２６の前記取付軸２９が前記取付軸用溝部３０、３０ａに沿って挿入されることで、前記接続口１７から距離が近い該吸引口２１の部位ほど、該シャッタ２６の傾斜する一辺によって広く遮断される。
【００４０】
前記吸引口２１は、前記シャッタ２６を介して前記連通空間部２８と連通されており、前記接続口１７からの距離が近く吸引力が強い前記吸引口２１の部位は、該シャッタ２６の傾斜する一辺によって広く遮断されることでその吸引力は弱めることができる。
【００４１】
さらに、該接続口１７からの距離が遠く吸引力が弱い該吸引口２１の部位は、該接続口１７からの距離が遠くなるにつれ該シャッタ２６と前記連通空間部２８との重なり部分の面積は徐々に小さくなるように該シャッタ２６の傾斜する一辺によって調整されているので、該吸引口２１の吸引力は強められている。
【００４２】
したがって、本発明のクリーニング装置１は、真空源によって生じる前記吸引部５の吸引力を、前記吸引口２１の長手方向に沿って容易に一定に調整することができるので、前記マスク２のパターン孔７の縁部や裏面に付着した前記クリームはんだＣはむらなく除去することができる。また、前記クリーニング装置１は、前記調整手段１９を回動・着脱・挿嵌・交換することで容易に前記マスク２上に形成されたパターン孔７の範囲に前記吸引口２１を合わせることができるので、あらゆるクリームはんだ印刷機のマスク２に対してクリームはんだＣの除去が可能である。
【００４３】
上記した前記クリーニング装置１は、以下のようにして、クリームはんだ印刷機で使用した前記マスク２の裏面に付着した前記クリームはんだＣを清掃する。
【００４４】
まず、図１において、破線で示されるように、前記昇降手段１５の前記ロッド２３を上昇させ該ロッド２３の上端部に取付けられた前記吸引部５を上に移動させ、この吸引部５に設けられている前記スキージ２０により前記クリーニングペーパ４を前記マスク２の裏面に下方から押し付けた状態にする。
【００４５】
その後、適宜速度で前記巻き取りローラ１３により該クリーニングペーパ４を巻き取りつつ、前記モータ１１を駆動して、前記ケーシング３を前記マスク２に沿って水平移動させる。この際、前記パターン孔７の縁部や裏面に付着した前記クリームはんだＣは、前記クリーニングペーパ４によって拭き取られると同時に、該クリーニングペーパ４を押し上げている前記スキージ２０の先端によっても掻き取られるように除去される。
また、前記クリーニングペーパ４と前記スキージ２０は、前記マスク２の幅とほぼ同じか多少大きく形成されているので、前記ケーシング３は右端から左端への移動を一度行えば前記マスク２の裏面全体を清掃することができる。
【００４６】
なお、前記往復移動手段８は、前記ケーシング３を前記マスク２に対して左右水平方向に往復移動することができるので、前記マスク２に付着した前記クリームはんだＣの汚れ具合に合わせ前記クリーニング装置１を数度往復移動させ該クリームはんだＣを除去しても良い。
【００４７】
（第２の実施の形態例）
本例のクリームはんだ印刷機のクリーニング装置１ａは、図４に示すように、前記吸引部５に真空源と接続されている前記管１６、１６を接続する二つの前記接続口１７、１７が設けられた真空吸引部３２が、前記調整手段１９には前記シャッタ２６の形状と異なるシャッタ３３が使用されている。
前記クリーニング装置１ａが、前記クリーニング装置１と異なる点は、前記吸引部５に前記取付軸用溝部３０、３０ａが設けられていないことと、前記シャッタ３３の形状が異なることであり、その他の点は同様である。よって、前記クリーニング装置１ａの各構成要素のうち、前記クリーニング装置１と同様の構成要素については、同一の符号を付し、その説明は省略する。
【００４８】
前記クリーニング装置１ａのシャッタ３３は、前記真空吸引部３２に設けられた前記管１６、１６を接続する二つの接続口１７、１７からの距離が近いほど、前記連通空間部２８（すなわち前記吸引口２１）と該シャッタ３３とが重なる部分の面積が広くなるような形状に形成されている。すなわち、前記シャッタ３３は、傾斜する二辺を有する平板であって、この傾斜する二辺が前記吸引部５の内側に位置するよう前記切り欠き部２７に挿嵌することで、前記真空吸引部３２と前記スキージ取付部２５との間に挟入される。
【００４９】
この際、前記吸引口２１は、前記接続口１７、１７から距離が近い該吸引口２１の部位ほど、該シャッタ３３の傾斜する二辺によって広く遮断される。前記吸引口２１は、前記シャッタ３３を介して前記連通空間部２８と連通されており、前記接続口１７、１７からの距離が近く吸引力が強い前記吸引口２１の部位は、該シャッタ３３の傾斜する二辺によって広く遮断されることでその吸引力は弱めることができる。
【００５０】
さらに、前記接続口１７、１７からの距離が遠く吸引力が弱い該吸引口２１の部位は、該接続口１７、１７からの距離が遠くなるにつれ該シャッタ３３と前記連通空間部２８との重なり部分の面積は徐々に小さくなるように該シャッタ３３の傾斜する二辺によって調整されているので、該吸引口２１の吸引力は強められている。したがって、本発明のクリーニング装置１ａは、真空源によって生じる前記吸引部５の吸引力を、前記シャッタ３３を前記切り欠き部２８に挿嵌することで前記吸引口２１の長手方向に沿って容易に一定に調整することができるので、前記マスク２のパターン孔７の縁部や裏面に付着した前記クリームはんだＣはむらなく除去することができる。
【００５１】
（第３の実施の形態例）
本例のクリームはんだ印刷機のクリーニング装置１ｂは、図５に示すように、前記吸引部５に真空源と接続されている前記管１６…を接続する三つの前記接続口１７…が設けられた真空吸引部３４が、前記調整手段１９には前記シャッタ２６の形状と異なるシャッタ３５が使用されている。
前記クリーニング装置１ｂが、前記クリーニング装置１と異なる点は、前記吸引部５に前記取付軸用溝部３０、３０ａが設けられていないことと、前記シャッタ３５の形状が異なることであり、その他の点は同様である。よって、前記クリーニング装置１ｂの各構成要素のうち、前記クリーニング装置１と同様の構成要素については、同一の符号を付し、その説明は省略する。
【００５２】
前記クリーニング装置１ｂのシャッタ３５は、前記真空吸引部３４に設けられた三つの前記管１６…を接続する三つの接続口１７…からの距離が近いほど、前記連通空間部２８（すなわち前記吸引口２１）と該シャッタ３５とが重なる部分の面積が広くなるような形状に形成されている。すなわち、前記シャッタ３５は、傾斜する四辺を有する平板であって、この傾斜する四辺が前記吸引部５の内側に位置するよう前記切り欠き部２７に挿嵌することで、前記真空吸引部３４と前記スキージ取付部２５との間に挟入される。
【００５３】
この際、前記吸引口２１は、前記接続口１７、１７から距離が近い該吸引口２１の部位ほど、前記シャッタ３５の傾斜する四辺によって広く遮断される。前記吸引口２１は、前記シャッタ３５を介して前記連通空間部２８と連通されており、前記接続口１７、１７からの距離が近く吸引力が強い前記吸引口２１の部位は、該シャッタ３５の傾斜する四辺によって広く遮断されることでその吸引力は弱めることができる。
【００５４】
さらに、前記接続口１７、１７からの距離が遠く吸引力が弱い該吸引口２１の部位は、該接続口１７、１７からの距離が遠くなるにつれ該シャッタ３５と前記連通空間部２８との重なり部分の面積が徐々に小さくなるように該シャッタ３５の傾斜する四辺によって調整されているので、該吸引口２１の吸引力は強められている。したがって、本発明のクリーニング装置１ｂは、真空源によって生じる前記吸引部５の吸引力を、前記シャッタ３５を前記切り欠き部２７に挿嵌することで前記吸引口２１の長手方向に沿って容易に一定に調整することができるので、前記マスク２のパターン孔７の縁部や裏面に付着した前記クリームはんだＣはむらなく除去することができる。
【００５５】
（第４の実施の形態例）
本例のクリームはんだ印刷機のクリーニング装置１ｃは、図６に示すように、前記吸引部５は、真空源と接続されている管１６を接続する前記接続口１７が一つ設けられた前記真空吸引部２４が、前記調整手段１９に前記シャッタ２６の形状と異なるシャッタ３６、３６が使用されている。
前記クリーニング装置１ｃが、前記クリーニング装置１と異なる点は、前記吸引部５に前記取付軸用溝部３０、３０ａが設けられておらず、前記切り欠き部２７および前記シャッタ３６の形状が異なることであり、その他の点は同様である。よって、前記クリーニング装置１ｃの各構成要素のうち、前記クリーニング装置１と同様の構成要素については、同一の符号を付し、その説明は省略する。
【００５６】
前記切り欠き部２７は、前記真空吸引部２４の上面において、該真空吸引部２４の長手方向に沿って端から端まで長尺な矩形状に穿孔されている。
前記シャッタ３６、３６は、平板であって矩形状に形成されている。前記シャッタ３６、３６を前記切り欠き部２７の両側から挿嵌して前記真空吸引部２４と前記スキージ取付部２５の間に挟入し、前記連通空間部２８の両端部と重ねて該連通空間部２８の端部を閉塞するように配置することにより、前記連通空間部２８の開口している部分の幅を狭くすることができる。
したがって、前記連通空間部２８の開口している部分の幅は、前記シャッタ３６、３６を前記切り欠き部２７に挿嵌して調整することができるので、プリント基板に合わせて前記マスク２に設けられたパターン孔７の範囲に合わせて効果的に限定するとともに、該パターン孔７の縁部や裏面に付着した前記クリームはんだＣをより強く吸引することができる。
【００５７】
（第５の実施の形態例）
本例のクリームはんだ印刷機のクリーニング装置１ｄは、図７に示すように、前記調整手段１９において、前記吸引用容器１８から着脱自在なシャッタ３７が使用されている。
【００５８】
前記シャッタ３７は、該シャッタ３７の中央に、該シャッタ３７の長手方向に沿って長尺な台形状に開口された開口部３８が設けられている。前記シャッタ３７は、真空源と接続された前記接続口１７が一つ設けられる場合に使用され、前記真空吸引部２４の前記切り欠き部２７に、前記開口部３８の小さく開口された開口部分を前記接続口１７に向けて嵌合して、予め前記真空吸引部２４と前記スキージ取付部２５との間に挟入することで、前記吸引部５の吸引力を調整することができる。
【００５９】
（第６の実施の形態例）
本例のクリームはんだ印刷機のクリーニング装置１ｅは、図８に示すように、前記真空吸引部３２の両端部にそれぞれ前記接続口１７が設けられる場合において、前記調整手段１９に、前記吸引部５内で回転移動、スライド移動及びこれらの移動の組み合わせによる移動等の移動方法により移動自在とされるシャッタ３９、３９が使用されている。
【００６０】
前記クリーニング装置１ｅが、前記クリーニング装置１と異なる点は、前記吸引部５に前記シャッタ３９、３９の取付軸２９ａ、２９ｂを挿通させる取付軸用溝部３０ｂ、３０ｃが設けられ、さらに、前記シャッタ３９の形状が異なっていることであり、その他の点は同様である。よって、前記クリーニング装置１ｅの各構成要素のうち、前記クリーニング装置１と同様の構成要素については、同一の符号を付し、その説明は省略する。
【００６１】
前記切り欠き部２７は、その両端部にそれぞれ前記取付軸用溝部３０ｂ、３０ｃが、該切り欠き部２７の短手方向に沿って穿孔されている。
前記シャッタ３９、３９は、ほぼ矩形状な平板であり、四隅のうち一個所に前記取付軸２９ａ、２９ｂの取付孔部３１ａ、３１ｂが形成されており、該取付孔部３１ａ、３１ｂが設けられた端部と反対側の端部は、若干円弧状に形成された一辺を有している。
【００６２】
前記シャッタ３９、３９は、前記取付軸２９ａ、２９ｂをそれぞれ前記取付軸用溝部３０ｂ、３０ｃに挿通し、該取付軸２９ａ、２９ｂを支点として回動しても該シャッタ３９、３９どうしが引っ掛かることなく、該シャッタ３９、３９が有する各々の円弧状の一辺を接触しつつ前記吸引部５に気密性をもたらすことができる。
【００６３】
したがって、本発明のクリーニング装置１ｅは、真空源によって生じる前記吸引部５の吸引力を、前記シャッタ３９、３９を前記切り欠き部２７に挿嵌することで前記吸引口２１の長手方向に沿って容易に一定に調整することができるので、前記マスク２のパターン孔７の縁部や裏面に付着した前記クリームはんだＣはむらなく除去することができる。
【００６４】
なお、上記の第１から第６の実施例においては、前記クリーニングペーパ４を介して前記マスク２と前記吸引部５を密着させていたが、該クリーニングペーパ４を介することなく、該吸引部５を該マスク２に密着させ、前記クリーニング装置１、１ａ、１ｂ、１ｃ、１ｄ、１ｅを作動させて前記クリームはんだＣを除去しても、本発明のクリーニング装置がもたらす効果は発揮される。
【００６５】
【発明の効果】
以上のように、請求項１記載のクリーニング装置によれば、
前記吸引用容器は前記調整手段を用いることによって、前記吸引口の各部位における吸引力を調整することができるので、吸引力の斑を防止するとともに真空源が接続された前記管からの距離に関係なく吸引力を容易に均等にすることができる。
【００６６】
また、前記吸引口の各部位における吸引力を調整するには、前記吸引用容器内に前記シャッタを配設すれば良いので、比較的簡単に前記調整手段を構成することができる。
【００６７】
また、前記シャッタは、前記吸引用容器の真空源との接続部分からの距離が近いほど遮蔽面積が大きくなるように前記吸引口の一部を遮蔽しているので、比較的簡単に、前記吸引口の各部位における吸引力をなるべく均等に調整することができる。
【００６８】
請求項２記載のクリーニング装置によれば、請求項１と同様の効果を得ることができるのは勿論のこと、
前記シャッタを回動させることで容易に前記マスク上に形成されたパターン孔の範囲に前記吸引口を合わせることができるので、あらゆるクリームはんだ印刷機のマスクに対してクリームはんだの除去が可能である。
【００６９】
請求項３記載のクリーニング装置によれば、請求項１または２と同様の効果を得ることができるのは勿論のこと、
前記シャッタは、前記吸引用容器から着脱自在に設けられているので、前記吸引口の開口部分の幅は、前記マスクに設けられる前記パターン孔の範囲に応じて効果的に限定することができるとともに、該パターン孔に合わせてより強く吸引することができる。さらに、前記シャッタは、プリント基板の大きさに対応した該シャッタに交換することができる。
【図面の簡単な説明】
【図１】本発明に関わるクリームはんだ印刷機のクリーニング装置の一例を示す正面図である。
【図２】本発明に関わるクリームはんだ印刷機のクリーニング装置の要部を示すもので、吸引用容器（吸引部）の斜視図である。
【図３】同、吸引部の（ａ）側面図と（ｂ）平面図である。
【図４】同、真空源の接続口が二つ備えられた吸引部の一例を示す平面図である。
【図５】同、真空源の接続口が三つ備えられた吸引部の一例を示す平面図である。
【図６】同、真空吸引部の両端部からシャッタが挿嵌された状態を示す平面図である。
【図７】同、調整手段のシャッタの一例を示す平面図である。
【図８】同、真空源の接続口が二つ備えられた吸引部の他の例を示す平面図である。
【符号の説明】
１、１ａ、１ｂ、１ｃ、１ｄ、１ｅ  クリームはんだ印刷機のクリーニング装置
２    マスク
５    吸引部
１６  管
１８  吸引用容器
１９  調整手段
２１  吸引口
２６、３３、３５、３６、３７、３９  シャッタ
【図１】
0004421035.tif 000002
【図２】
0004421035.tif 000003
【図３】
0004421035.tif 000004
【図４】
0004421035.tif 000005
【図５】
0004421035.tif 000006
【図６】
0004421035.tif 000007
【図７】
0004421035.tif 000008
【図８】
0004421035.tif 000009